(57)【要約】      （修正有）【課題】透明または半透明で、伸び止まりがあり、筋肉の動きをサポートしたり、動きの大きな関節用途で用いるテーピングテープを提供する。【解決手段】支持体層１に粘着剤層３が積層されているテーピングテープにおいて、支持体層を透明または半透明の柔軟性のあるフィルムとし、長手方向にテーピングを伸張した際に、伸び止まりができるように、伸張抵抗体２をテーピングテープに配置する。伸縮抵抗体は、伸縮性のある弾性体の糸の回りに伸縮性の乏しい糸が巻回されたもので構成されている。【選択図】図１
0003211041.tif 000002
【実用新案登録請求の範囲】
【請求項１】
柔軟性のあるフィルムからなる支持体層の片面に粘着剤層が積層されたテ−ピングテ−プであって、伸縮抵抗体が支持体層または粘着剤層に隣接して配置されるか、支持体層または粘着剤層の中に配置された伸縮性のある、透明または半透明のテ−ピングテ−プ。
【請求項２】
該伸縮抵抗体が、伸縮性のある弾性体の糸の回りに伸縮性の乏しい糸が巻回されたものである請求項１のテ−ピングテ−プ。
【請求項３】
該伸縮性のある弾性体の糸が、ポリウレタン、ポリ塩化ビニル、ポリエステルエラストマー、天然ゴム、合成ゴムから選ばれた１つ以上の材料で形成された糸である請求項１のテ−ピングテ−プ。
【請求項４】
該伸縮性の乏しい糸が、綿、ナイロン、ポリエステル、フルオロカーボン、ポリエチレンから選ばれた１つ以上の材料で形成されたモノフィラメントまたはマルチフィラメントでの糸である請求項１のテ−ピングテ−プ。
【考案の詳細な説明】
【技術分野】
【０００１】
本考案は、足や腕等に巻き付けて使用されるテーピングテープに関するものである。
【背景技術】
【０００２】
テ−ピングテ−プは巻芯に巻回した状態で提供され、各種のスポ−ツ等において、ケガの予防、再発防止、応急処置等として足首、手首、肘等の適所に巻き付けて使用される。
一般に、テーピングテープは、基材の片面に粘着剤層が設けられた層構成を有しており、非伸縮性テープと伸縮性テープとに大別されている。テ−ピングテ−プは、織布と呼ばれる支持体に粘着剤が積層された構造をとっているため、全体として不透明である。よって、透明性が好まれるシーンにおいて使用することができなかった。また、伸縮性テープとして、筋肉の動きをサポートしたり、動きの大きな関節用途で使用するときに、伸縮性があり、伸び止まりのある透明又は半透明のテーピングテープが望まれていた。
【先行技術文献】
【特許文献】
【０００３】
【特許文献１】特開２００９−２９７４３４
【特許文献２】実登３１５１５０５号
【考案の概要】
【考案が解決しようとする課題】
【０００４】
本考案は、伸び止まりがあり、皮膚またはストッキングに貼付しても目立たないテ−ピングテ−プを提供することにある。
【課題を解決するための手段】
【０００５】
本考案者らは上記課題に対して鋭意研究を行なった結果、柔軟性のあるフィルムの支持体層に粘着剤層が積層されたテ−ピングテ−プにおいて、伸張抵抗体を配置することにより、伸び止まりのある透明または半透明のテ−ピングテ−プを提供し得ることを見出し、本考案を完成させた。
【０００６】
本考案は、下記の構成であり、これにより本考案の上記課題が解決される。
[１]
柔軟性のあるフィルムからなる支持体層の片面に粘着剤層が積層されたテ−ピングテ−プであって、伸縮抵抗体が支持体層または粘着剤層に隣接して配置されるか、支持体層または粘着剤層の中に配置された伸縮性のある、透明または半透明のテ−ピングテ−プ。
［２］ 
該伸縮抵抗体が、伸縮性のある弾性体の糸の回りに伸縮性の乏しい糸が巻回されたものである［１］のテ−ピングテ−プ。
［３］
該伸縮性のある弾性体の糸が、ポリウレタン、ポリ塩化ビニル、ポリエステルエラストマー、天然ゴム、合成ゴムから選ばれた１つ以上の材料で形成された糸である［１］のテ−ピングテ−プ。
［４］
該伸縮性の乏しい糸が、綿、ナイロン、ポリエステル、フルオロカーボン、ポリエチレンから選ばれた１つ以上の材料で形成されたモノフィラメントまたはマルチフィラメントでの糸である［１］のテ−ピングテ−プ。
【考案の効果】
【０００７】
本考案は、フィルムを支持体とし、伸張抵抗体を配置することによって、一方向に伸びることを制限した機能を付加した透明または半透明のテーピングテープであり、皮膚に貼付しても目立たず、カラーストッキング上に貼付しても、その色を邪魔することがないため、スポーツ用テーピングとして好適に用いることができる。
【図面の簡単な説明】
【０００８】
【図１】本考案の実施形態に係る透明また半透明のテ−ピングテ−プの断面図である。
【考案を実施するための形態】
【０００９】
＜テ−ピングテ−プの構成＞
本考案のテ−ピングテ−プは、伸張抵抗体／支持体層／粘着剤層／任意の剥離シート（“／“は隣接して積層されることを示す）、支持体／伸張抵抗体／粘着剤／任意の剥離シート、支持体層／粘着剤層／伸張抵抗体／任意の剥離シートの構成をとるか、支持体中または粘着剤中に伸張抵抗体を配置した状態で支持体層／粘着剤層／任意の剥離シートの構成をとるテ−ピングテ−プである。
本考案のテ−ピングテ−プは、透明または半透明で、伸び止まりがあることに特徴を有する。「伸び止まり」とは、一定方向に手でテ−ピングテ−プを伸張したときに、抵抗が急に大きくなり、それ以上のテ−ピングテ−プの伸張が難しくなることが存在することを示す。言い換えると、適度な伸縮力以上の力でテーピングテープを伸張したときに、所定の距離までは伸びるものの、それ以上は伸びが停止してしまうことを示す。
【００１０】
＜伸張抵抗体＞
伸張抵抗体とは、本考案のテ−ピングテ−プを伸張したときに、伸び止まりを発生するのに必要な構成であり、一定の長さまで伸長したあと、引張り抵抗性のある部材または組み合わせた部材で形成する。このような性質のある部材であれば限定されないが、伸縮性のある弾性体の糸の回りに、伸縮性の乏しい糸がらせん状に巻回された糸を伸張抵抗体として用いることが好ましい。
伸縮性のある弾性体の糸としては、特に限定されないが、ポリウレタン、ポリ塩化ビニル、ポリエステルエラストマー、天然ゴム、合成ゴムから選ばれた１つ以上の材料で形成された糸であることが好ましい。
伸縮性の乏しい糸としては、綿、ナイロン、ポリエステル、フルオロカーボン、ポリエチレンから選ばれた１つ以上の材料で形成されたモノフィラメントまたはマルチフィラメントでの糸であることが好ましい。
前述のように、伸縮性のある弾性体の糸の回りに伸縮性の乏しい糸がらせん状に巻回された糸を用いることで、一定の力で一方向に引っ張ると、伸び止まり前までは伸張性のある弾性体で糸が伸びていくが、巻回した非伸縮性の糸が抵抗となって伸び止まりが発生するため、このようなものを伸張抵抗体とすることができる。テ−ピングテ−プの長手方向（伸張方向）に沿って、好ましくは伸張方向と交差する方向に等間隔に複数本形成すると、伸ばしたときに支持体が均等に伸びて伸び止まりが発生し、伸張方向と交差する方向において支持体の伸びのムラが発生しにくくなるため好ましい。
伸張抵抗体は、目立たないようにテ−ピングテ−プの構成の一部として配置されることが好ましく、細い透明な糸で形成することが好ましい。
伸張抵抗体の伸張率は、一般的なテ−ピングテ−プと同様の伸張率であり、１４０〜２２０％程度が好ましい。伸張率の計測方法は以下の通りである。
【００１１】
＜伸張率の計測法＞
（１）２０ｃｍ程度のテ−ピングテ−プを用意する。 
（２）中央付近に印をつける。 
（３）テーピングテープを手で長手方向に引っ張り、伸びなくなるところで止めて、印が動いた距離を測る。
（４）元の長さを印が動いた距離から除算しその百分率を伸張率とする。
【００１２】
＜支持体層＞
本考案のテ−ピングテ−プで用いられる支持体層としては、適度な弾力性や柔軟性があるフィルムが好ましい。特に支持体としてはポリエチレンフィルムやポリウレタンフィルムを選択することが好ましく、厚さは２０〜１０００μｍであることが好ましい。また、支持体を１分間に３００mmの速さで自長の１００％の長さに引っ張った時の復元率が、引っ張り前の長さと比較して、１００〜１２０％であることが好ましい。支持体で用いるフィルムは、支持体を透明とする場合は平滑であることが好ましく、支持体を半透明とする場合は凹凸があるものが好ましく、サンドブラスト処理や、エンボスパターンを有するものとすることができる。
また、支持体は孔が形成されていない方が好ましいが、支持体に孔を形成するものを使用することもできる。支持体層に形成される孔は、テ−ピングテ−プに透湿性を付与することが可能である。支持体層に形成される孔の大きさは０．５〜５０００μｍが好ましく、０．５〜２０００μｍであることが特に好ましい。孔は支持体層全体に、長辺方向、短辺方向などに均一または不均一な間隔で、模様な文字などで形成されても良い。
支持体層を着色する場合、支持体層中に着色剤を含有したものを製造する他、該支持体層の一方、または両方の面に印刷を行うことにより着色することができる。印刷はグラビア印刷など、従来行われている方法が採用できる。印刷インクは０．０１〜２０ｇ／ｍ2 の範囲で支持体の適正に応じて使用することが好ましい。ただし、皮膚またはストッキングに貼付しても目立たないテ−ピングテ−プを提供できるように、透明または半透明となるように、着色を行なう。
【００１３】
＜粘着剤層＞
粘着剤層は、皮膚への粘着力が適度で、刺激性が低いことを考慮して適宜決定される。
例えば、粘着剤層としては、ゴム系、アクリル系、シリコーン系、ウレタン系粘着剤が好ましく、通常は支持体層の片側の略全面に積層されるように形成することが好ましいが、パターン状に形成しても良い。
粘着剤層の皮膚面に対する粘着力は、好ましくは０．１〜２．０Ｎ／１２ｍｍ、より好ましくは０．２〜０．８Ｎ／１２ｍｍの範囲である。
粘着剤層は、溶展法、ホットメルト法、エマルション法により製造できる。
粘着剤層の厚みは特に限定されないが、通常のテーピングテープと同様な厚みとすることができ、その厚みは５０〜５００μｍが好ましい。
任意であるが、メントール、香料、薬剤等も配合できる。
【００１４】
＜テ−ピングテ−プの形態及び剥離シート＞
本考案のテ−ピングテ−プは、シート状、ロール状のいずれかの形態を採用することができる。剥離シートは、ロール状の場合は任意であり、シート状の場合は必須の構成となる。
シート状の場合は、皮膚面への貼付の直前までは粘着剤層の露出面を、剥離シートにて被覆、保護することが好ましい。剥離シートとしては、使用時に粘着剤層から容易に剥離されるものであれば特に限定されない。
特に好ましい本考案のテ−ピングテ−プの一つとしては、２０〜５０μｍ程度の柔軟性のあるウレタンフィルムの支持体に、５０〜２００μｍ程度のアクリル系粘着剤層を積層した粘着剤層側に、ウレタン弾性糸の周りにナイロン糸を巻回した伸張抵抗体を長手方向に沿って１〜５ｃｍ間隔で配置した粘着テープで、ロール状に巻回して製造されたものである。
【００１５】
＜テ−ピングテ−プの使用方法＞
テ−ピングテ−プの使用方法としては、剥離シートを剥離して、粘着剤層の面を露出させ、適度に伸張させながら指や腕に巻きつける方法や、腕に器具等を固定するために、何枚ものテ−ピングテ−プを重ねるようにするようにし、目的箇所にテ−ピングテ−プを貼付して使用する。本考案のテ−ピングテ−プを靱帯固定に使用する場合などは、伸長させて皮膚に貼付することが好ましい。
【００１６】
＜テ−ピングテ−プの製造方法＞
本考案のテ−ピングテ−プの製造方法は、特に限定されないが、例えば以下のように製造することができる。
（１）支持体を用意する工程、
（２）剥離紙に粘着剤層を塗布し、必要であれば粘着剤層を乾燥する工程、
（３）伸張抵抗体を上記（２）の上に配置する工程、
（４）上記（１）と（３）をラミネートして積層体を作製する工程、
（５）上記（４）を巻回して裁断する工程。
このように製造することで、本考案のテ−ピングテ−プを得ることができる。得られたテ−ピングテ−プは、通常、適切な包材で包装を行う。
【００１７】
＜テ−ピングテ−プの透明性＞
本考案のテ−ピングテ−プの透明性は、ＪＩＳ  Ｚ  ８７２２に準拠して測定したＬ＊値が５０以上であることが好ましいため、そのような材料を選択する必要がある。Ｌ＊値が５０より低いと、皮膚への貼付部分が白く目立ってしまうおそれがある。
【産業上の利用可能性】
【００１８】
本考案に係る透明または半透明のテ−ピングテ−プは、伸び止まりがあり、筋肉の動きをサポートしたり、動きの大きな関節用途で用いることができるため、貼付した箇所を目立たせない目的において特に好適である。
【符号の説明】
【００１９】
１．支持体層
２．伸張抵抗体
３．粘着剤層
４．剥離シート
【図１】
0003211041.tif 000003
【手続補正書】
【提出日】平成29年4月12日(2017.4.12)
【手続補正１】
【補正対象書類名】実用新案登録請求の範囲
【補正対象項目名】請求項３
【補正方法】変更
【補正の内容】
【請求項３】
該伸縮性のある弾性体の糸が、ポリウレタン、ポリ塩化ビニル、ポリエステルエラストマー、天然ゴム、合成ゴムから選ばれた１つ以上の材料で形成された糸である請求項２のテ−ピングテ−プ。
【手続補正２】
【補正対象書類名】実用新案登録請求の範囲
【補正対象項目名】請求項４
【補正方法】変更
【補正の内容】
【請求項４】
該伸縮性の乏しい糸が、綿、ナイロン、ポリエステル、フルオロカーボン、ポリエチレンから選ばれた１つ以上の材料で形成されたモノフィラメントまたはマルチフィラメントでの糸である請求項２のテ−ピングテ−プ。
【手続補正３】
【補正対象書類名】明細書
【補正対象項目名】０００６
【補正方法】変更
【補正の内容】
【０００６】
本考案は、下記の構成であり、これにより本考案の上記課題が解決される。
[１]
柔軟性のあるフィルムからなる支持体層の片面に粘着剤層が積層されたテ−ピングテ−プであって、伸縮抵抗体が支持体層または粘着剤層に隣接して配置されるか、支持体層または粘着剤層の中に配置された伸縮性のある、透明または半透明のテ−ピングテ−プ。
［２］ 
該伸縮抵抗体が、伸縮性のある弾性体の糸の回りに伸縮性の乏しい糸が巻回されたものである［１］のテ−ピングテ−プ。
［３］
該伸縮性のある弾性体の糸が、ポリウレタン、ポリ塩化ビニル、ポリエステルエラストマー、天然ゴム、合成ゴムから選ばれた１つ以上の材料で形成された糸である［２］のテ−ピングテ−プ。
［４］
該伸縮性の乏しい糸が、綿、ナイロン、ポリエステル、フルオロカーボン、ポリエチレンから選ばれた１つ以上の材料で形成されたモノフィラメントまたはマルチフィラメントでの糸である［２］のテ−ピングテ−プ。